(57)【要約】【課題】殺菌竹繊維ガーゼ及びその製造方法と応用。該殺菌竹繊維ガーゼは竹繊維ガーゼの中に殺菌原液を浸すことにより製造されること、その中の殺菌原液には０．００１−１％の溶解ブドウ球菌酵素と従来医薬品の原料として認可されておる担体を含有すること。【解決手段】該殺菌竹繊維ガーゼは臨床上でよく見かける細菌菌種に対する優れた殺菌効果を持つほか、最も重要なのは創傷面では癒着しないため、ガーゼを取り替えるとき患者には苦痛を与えないことである。該殺菌竹繊維ガーゼは創傷面傷当て材、ベビー及び大人用紙オムツ、ナプキン、マスクとして他、衛生材料全般に活用できるものであり、竹繊維ガーゼは織物や編物のみならず、不織布としても作ることができる。【選択図】図２
2006043370.tif 000002
【特許請求の範囲】
【請求項１】
殺菌竹繊維ガーゼであって、その特徴は１００ｃｍ２当たりの４枚あわせの竹繊維ガーゼの中に１−１０ｍｌの殺菌原液を浸して、殺菌原液の含有量のパーセンテージは０００１−１％の溶解ブドウ球菌酵素と従来医薬品の原料として認可されている担体を含有すること。
【請求項２】
請求項１記載の殺菌竹繊維ガーゼであることを特徴とする１００ｃｍ２当たりの４枚あわせ竹繊維ガーゼに浸す４−６ｍｌの殺菌原液。
【請求項３】
請求項１記載の殺菌竹繊維ガーゼであることを特徴とする記載の殺菌原液の組成分及びその重量パーセンテージは下記の通りである：
溶解ブドウ球菌酵素  ０．００１−１％
溶解菌酵素              ０．１−２０％
タンパク質安定剤        ０．２−５０％
イオン化合物            ０．５−１０％
水                      他
【請求項４】
請求項３記載の殺菌竹繊維ガーゼであることを特徴とする殺菌原液の最適な組成分及び重量パーセンテージは以下の通りである：
溶解ブドウ球菌酵素  ０．０１−０．１％
溶解菌酵素                ２−１０％
タンパク質安定剤          ５−４０％
イオン化合物              ０．５−１％
水                        他
【請求項５】
請求項３記載の殺菌竹繊維ガーゼであることを特徴とする記載のタンパク質安定剤はキトサン、ポリエチレングリコール４００、ポリエチレングリコール１０００、ポリエチレングリコール４０００或いはポリエチレングリコール６０００の中の一種或いは一種以上。
【請求項６】
請求項３または５記載の殺菌竹繊維ガーゼであることを特徴とする記載のイオン化合物は塩化ナトリウム、塩化カリウム、リン酸カリウム或いはリン酸ナトリウムの中の一種或いは一種以上。
【請求項７】
請求項１記載の殺菌竹繊維ガーゼの製造方法は、その特徴は以下のステップが含まれる：竹繊維ガーゼを殺菌原液の中に浸し、４枚あわせの竹繊維ガーゼ１００ｃｍ２に対しに浸す１−１０ｍｌの殺菌原液を注入する。
【請求項８】
請求項１〜４いかなる請求項記載の殺菌竹繊維ガーゼは創傷面傷当て材としての製造。
【請求項９】
請求項１〜４いかなる請求項記載の殺菌竹繊維ガーゼはベビー及び大人用紙オムツ、ナプキン或いはマスクとして他、衛生材料全般に活用できるものであり、竹繊維ガーゼは織物や編物のみならず、不織布としても作ることができる。
【発明の詳細な説明】
【技術分野】
【０００１】  本発明殺菌性を有する竹繊維ガーゼとその製造方法と応用に関するものである。具体的には殺菌溶解液を含有する竹繊維ガーゼとその製造方法と応用に関するものである。
【背景技術】
【０００２】  目下、臨床上皮膚科、外科、救急診療室等でよく使われているガーゼは一般的に以下のものがある
：普通の医薬用滅菌ガーゼ、しかしそのもの自体には抗菌性がなく抗癒着性もない
：抗癒着性ガーゼは竹繊維を原料として作られ、傷口の癒着が防止できるが、あらゆる細菌に対し殺菌作用がある訳ではない、特許文献１（ＣＮ  １４６１８２７Ａ）『天然抗菌材料及びその用途』と特許文献２（特開２００３−３１０７２１）『竹繊維製抗菌性布帛』
：また従来の抗菌性ガーゼは抗菌物質を含有しているため、殺菌効果があり、傷口の治療または創傷面の感染防止ができるが、傷口または創傷面の抗癒着性の問題は解決できない、特許文献（ＣＮ  １３６０９４９Ａ）『溶解ブドウ球菌複合酵素殺菌ガーゼ』、該殺菌ガーゼは非常に優れた殺菌効果があるが、創傷面での癒着問題があるので、患者に苦痛をもたらす可能性がある。
【発明の開示】
【発明が解決しようとする課題】
【０００３】  本発明が解決する技術問題は殺菌竹繊維ガーゼ及びその製造方法と応用を提供して、従来の殺菌ガーゼが創傷面での癒着問題を解決することである。
【課題を解決するための手段】
【０００４】  殺菌竹繊維ガーゼであって、その特徴は１００ｃｍ２当たりの４枚あわせの竹繊維ガーゼの中に１−１０ｍｌの殺菌原液を浸して、殺菌原液の含有重量のパーセンテージ含有量は０．００１−１％の溶解ブドウ球菌酵素と従来医薬品の原料として認可されている担体を含有すること。
【発明の効果】
【０００５】
【００１０】
【００１１】
【００１２】で述べたように、創傷面での抗癒着性を発現し、患者には癒着による苦痛を与えず、創傷面の治癒時間の大幅短縮ができる。
【発明を実施するための最良の形態】
【０００６】  最適な浸し量は１００ｃｍ２当たりの４枚あわせ竹繊維ガーゼの中に浸す４−６ｍｌの殺菌原液。
記載の殺菌原液の組成分及び重量パーセンテージは以下の通である：
溶解ブドウ球菌酵素  ０．００１−１％
溶解菌酵素              ０．１−２０％
タンパク質安定剤        ０．２−５０％
イオン化合物            ０．５−１０％
水                      他
殺菌原液の最適な組成分及び重量パーセンテージは以下の通りである：
溶解ブドウ球菌酵素  ０．０１−０．１％
溶解菌酵素                ２−１０％
タンパク質安定剤          ５−４０％
イオン化合物              ０．５−１％
水                        他
記載のタンパク質安定剤はキトサン、ポリエチレングリコール４００、ポリエチレングリコール１０００、ポリエチレングリコール４０００或いはポリエチレングリコール６０００の中の一種或いは一種以上であり、記載のイオン化合物は塩化ナトリウム、塩化カリウム、リン酸カリウム或いはリン酸ナトリウムの中の一種或いは一種以上である。【０００７】本発明の殺菌竹繊維ガーゼの製造方法は、その特徴は以下のステップが含まれる：
竹繊維ガーゼを殺菌原液の中に浸し、１００ｃｍ２当たりの４枚あわせの竹繊維ガーゼに浸す１−１０ｍｌの殺菌原液。【０００８】  本発明の殺菌竹繊維ガーゼは創傷面傷当て材、またはベビー及び大人用オ紙ムツ、ナプキン、マスクとして他、衛生材料全般に活用できるものであり、竹繊維ガーゼは織物や編物のみならず、不織布としても作ることができる。【０００９】  本発明に使用される竹繊維ガーゼは日本の株式会社ナファ生活研究所または中国上海天竹紡績繊維有限公司が生産する竹繊維ガーゼによるものである。【００１０】  本発明に使用される溶解ブドウ球菌酵素は中国上海高科生物工程有限公司が生産または米国ＳＩＧＭＡ社から購入する溶解ブドウ球菌酵素によるものである。【００１１】  本発明による殺菌竹繊維ガーゼには非常に優れた殺菌効果を持っており、体外でよく見かける細菌菌株を使って５分間の実験をした（実験方法は２００２年第四版《消毒技術規範》を参照）、実験結果は以下の通である：
2006043370.tif 000003
【００１２】  そのほか臨床で採集した２種類の良く見かける耐薬性菌菌株（黄色ブドウ球菌と緑膿菌）を使って上述と同じように５分間の殺菌実験を行い、殺菌率はそれぞれ９９．９５％と９９．９６％であった。
また、中国上海長海医院やけど科で２０例の創傷面細菌感染の患者に対して、臨床テストを行い、殺菌竹繊維ガーゼが創傷面感染菌に対する殺菌効果と殺菌竹繊維ガーゼが創傷面傷口に対する癒着性を観察する、結果は以下の通である：
やけど創傷面に多く存在する菌株はメチシリン耐性黄色ブドウ球菌（ＭＲＳＡ）、緑膿菌、肺炎桿菌、アシネトバクター菌、Ｃｉｔｒｏ  Ｂａｃｔｅｒ菌とカンジタ菌であり、普通の医薬用ガーゼに５％のＳｕｌｆａｍｙｌｏｎ溶解液に浸して対照テストとし、実験前とガーゼを使用後７２時間後創傷面にてサンプルを採集して、細菌を培養し、実験前後の殺菌率を比較し、結果は以下の通りである。
2006043370.tif 000004
上記の結果から判るように、本発明の殺菌竹繊維ガーゼは従来のやけど科で使われているＳｕｌｆａｍｙｌｏｎガーゼより優れた殺菌効果をもっている。【００１３】  竹繊維と綿繊維とでは構造上異なっている。綿繊維は中空状に対し、竹繊維は表面には溝状で、竹繊維の表面は無数の極細の繊維がある。綿繊維はその中空部分で水分を吸収することに対し、竹繊維は表面の溝の部分で水分を吸収するとの同時に、竹繊維表面の極細繊維が皮膚とガーゼの間の『クッション材』となる。したがって、竹繊維は傷口に対して抗癒着の働きがあり、本発明の殺菌竹繊維ガーゼはガーゼを取り替える際の患者の苦痛を和らげる効果があり、傷口の回復にも有利である。本発明は普通の医薬用綿ガーゼと該殺菌竹繊維ガーゼを使って創傷面に対する癒着性の比較臨床テストを行った、普通の医薬用綿ガーゼは創傷面に使っているガーゼを取り替える際患者には苦痛を与え、治りかけの傷口またはその一部は再び開き、傷口の治癒には本来の治癒以上の時間を要した。しかるに殺菌竹繊維ガーゼは竹繊維の特殊性能により、ガーゼは創傷面と癒着せず、患者には苦痛を与えなく、創傷面の治癒時間の大幅短縮ができる。
臨床観察の中で、いかなる不良反応がなかったことから、本発明の殺菌竹繊維ガーゼは治療の効果が良く、患者に対し刺激性等の毒性副作用がなく、臨床で幅広く応用できる。以下はその実施例である。
実施例１
溶解ブドウ球菌酵素  ０．００１グラム
溶解菌酵素                  ３グラム
キトサン                  １０グラム
塩化ナトリウム          ０．９グラム
水                      他
１００ｍｌの殺菌原液を作り、１４ｃｍ×７ｃｍの４枚あわせの竹繊維ガーゼを５ｍｌの殺菌原液の中に浸し、皮膚科、外科、産婦人科等身体表面の創傷面の診療科で使用し、創傷面の細菌と真菌の感染の予防または治療に使い、創傷面の治癒を促進し、治療時間を短縮する。
実施例２
溶解ブドウ球菌酵素          ０．１グラム
溶解菌酵素                    １０グラム
キトサン                        ５グラム
ポリエチレングリコール１０００  ２グラム
塩化カリウム                    １グラム
水                              他
１００ｍｌの殺菌原液を作り、１４ｃｍ×７ｃｍの４枚あわせの竹繊維ガーゼを２ｍｌの殺菌原液の中に浸し、ベビー及び大人用紙オムツの中に使い、幼児や介護老人の細菌と真菌の感染の予防できる。
実施例３
溶解ブドウ球菌酵素          ０．０１グラム
溶解菌酵素                        ８グラム
ポリエチレングリコール１０００    ６グラム
リン酸カリウム                ０．７グラム
水                            他
１００ｍｌの殺菌原液を作り、１４ｃｍ×７ｃｍの４枚あわせの竹繊維ガーゼを４ｍｌの殺菌原液の中に浸し、女性用ナプキンの中に使い、膣感染の予防ができる。
【図面の簡単な説明】
【００１４】
【図１】綿繊維の顕微鏡写真
【図２】竹繊維の顕微鏡写真
【図１】
2006043370.tif 000005
【図２】
2006043370.tif 000006